(57)【要約】浮体式風力タービン構造体は、駆動モータ又は発電機に接続された１以上の風力タービン（１）を支持するための、海底に対する１以上の定着具（２５、２７、２８）を備えるソケット（２０）を含む。風力タービンは、互いに角度をもって海中下向きに延伸し、互いの距離が下向き方向において増大する中空の管（２１、２２）からなるほぼ三角形のフローター装置上に配置される。中空の円弧形下部／横部品（２３）は、下端でフローター装置管（２１、２２）．に配置される。突っ張り片（２４）は、フローター装置の上端に配置される。横部品（２３）は、液体によって部分的に充填され、その内部には、横傾斜が増大したり減少したりしている間の横片の一端から他端への液体の流れを減速させる流れ絞りプレートが設けられる。
2016504526.tif 000002
【特許請求の範囲】
【請求項１】
駆動モータ又は発電機に接続された１以上の風力タービン（１）を支持するための、海底に対する１以上の定着具（２５、２７、２８）を備えるソケット（２０）を含む、浮体式風力タービン構造体であって、前記１以上の風力タービンが、第１の細長い中空の下部（２１）と、第２の細長い中空の下部（２２）とをそれぞれ含む１以上のフローター装置上に配置され、第１の下部（２１）及び第２の下部（２２）が、前記１以上の風力タービン（１）を固定するための定着部（２９）に接続され、互いに角度をもって海中下向きに延伸し、互いの距離が下向き方向において増大し、細長い中空の横部品／下部（２３）に下端で固定されて接続されることによって、側面から見てほぼ三角形の浮体構造物を提供し、横部品（２３）が、液体を収容するために環境に対してシールされたキャビティと、各々の下部（２１、２２）の内部から液体を供給し、及び／又は取り除くように風力タービン構造体に配置されて、風力タービン構造体の浮力レベル及び横傾斜角度の調整を提供する手段とを備えることを特徴とする、浮体式風力タービン構造体。
【請求項２】
下部（２３）が、構造体が海中で揺動しているとき、横部品（２３）内部での、一端（２３ａ）から他端（２３ｂ）までの液体の運動を減速させるための流れ制限手段（２６）を備えることを特徴とする、請求項１記載の浮体式風力タービン構造体。
【請求項３】
突っ張り（２４）が、フローター装置の浮力を強化し、補強し、及び増大させるために、特にその上端近くで、第１の細長い下部（２１）と第２の（２２）細長い下部との間に固定して接続されることを特徴とする、請求項１又は２記載の浮体式風力タービン構造体。
【請求項４】
流れ絞り手段（２６）が、横部品（２３）のキャビティの内部の流れ断面の一部を覆う防水壁のように設計されることを特徴とする、請求項１又は２記載の浮体式風力タービン構造体。
【請求項５】
細長い下部（２１、２２）、横部品（２３）及び突っ張り（２５）が、管の形を成すことを特徴とする、請求項１〜４のいずれか１項記載の浮体式風力タービン構造体。
【請求項６】
横部品（２３）が、浮体式風力タービン構造体が海中に位置するときに横部品（２３）の上方に位置する「円」の中心を有する、細長くかつほぼ円弧形であることを特徴とする請求項１〜５のいずれか１項記載の浮体式風力タービン構造体。
【請求項７】
細長い下部（２２）に対して垂直平面で枢動可能である接続装置（５２）に懸架された少なくとも１つの浮揚装置（５１）を含む波力発電機（５０）と、海面に配置され、ワイヤ（５４）及びプーリ（５５’、５５”、５５'''）を介して発電機（５６）に接続された浮き箱（５３）から伝達された波からの垂直運動によって駆動される発電機（５６）とを含むことを特徴とする、請求項１〜６のいずれか１項記載の浮体式風力タービン構造体。
【請求項８】
浮き箱（５３）のワイヤ（５４）が、風力タービン構造体が海中に下に向かって横傾斜したときに強風の中で海面下に引き下ろされて、装置を損傷から保護するような固定された長さを呈することを特徴とする、請求項７記載の浮体式風力タービン構造体。
【請求項９】
風力タービンが、流路（３）内に回転可能に懸架され、駆動エンジン又は発電機と駆動接続された細長い回転軸（３１）に接続されたスクリュー型ロータブレード（３３）の形状の１以上のロータ翼（３０）を含み、流路（３）が、高圧端に、ロータ翼（３０）を収容する中間部（３）の方向に向かって狭窄しているくさび形の入口（２、２’、２”）と、外向きの方向に向かって流れ断面が増大して空気のタービンへの流入を促進し、空気を低圧で出口に放出するくさび形の出口（４）とを含むことを特徴とする、請求項１〜８のいずれか１項記載の浮体式風力タービン構造体。
【請求項１０】
風力タービン構造体が顕著な風の影響を受けることない海中に自由に浮遊しているとき、ロータブレード（３３）を有する、流路（３）の流れ方向における長手方向軸が、水平面に対して０〜３３度の角度で、特におよそ１５〜３０度で、及び好ましくはおよそ２５度で延伸し、過剰な風荷重で、海面に対してほぼ水平に延伸することを特徴とする、請求項９記載の浮体式風力タービン構造体。
【請求項１１】
発電機が、流路（２、３、４）の下面に配置されて流路と流れ接続し、発電機からの暖かい空気が、ロータ内のキャビティと、くさび形の樋の壁とを介して上向きに流れ、氷の形成を防止することができることを特徴とする、請求項９又は１０記載の浮体式風力タービン構造体。
【請求項１２】
風力タービン（１）が、１以上の従来のプロペラ駆動型タービンを含むことを特徴とする、請求項１〜８のいずれか１項記載の浮体式風力タービン構造体。
【請求項１３】
プロペラ駆動型タービン（１）が、プロペラのためのいかなるトーションコントローラも呈しないことを特徴とする、請求項１２記載の浮体式風力タービン構造体。
【請求項１４】
風力タービン構造体が強風の中で海中にむかって横傾斜したときに保護シールドとしてさらに機能するヘリコプターデッキ（４０）を含むことを特徴とする、請求項１〜１３のいずれか１項記載の浮体式風力タービン構造体。
【請求項１５】
各々の下部（２１、２２）の内部から液体を供給し、及び／又は取り除くための手段が、細長い下部（２１、２２）の中に、及びそこから外にポンプで送るための１以上のポンプの形態で実現されることを特徴とする、請求項１〜１４のいずれか１項記載の浮体式風力タービン構造体。
【発明の詳細な説明】
【技術分野】
【０００１】
本発明は、請求項１の前提部に従った浮体式風力タービンに関する。
【背景技術】
【０００２】
浮体式風力タービンは、海中、一般には深海に位置する浮体構造物に設置された風力タービンであり、海底に設置された基部を用いることができない海の深さで、タービンが電気を生成することを可能にする。海のはるか遠くに位置する風力タービンファームは、目に見える汚染を低減させて、漁業及び航路に対するより良好な適合を提供することができる利点を有する。別の利点は、海のはるか遠くでは風は一般により強く、単位当たりの電気をより多く生産する可能性を提供する。
【０００３】
周知の浮体式風力タービン機構の一例は、スタトイル（Ｓｔａｔｏｉｌ）によるハイウィンド（Ｈｙｗｉｎｄ）の概念である。浮体構造物は、水及び岩のバラストで満たされた鋼製のシリンダで構成される。これは海面下１００メートルに延び、３つのアンカーによって海底に定着させている。市場に近接して、深海に位置することができる競争力のある海上型風車の概念を提供することを目的とする。
【０００４】
このタイプの構築物の利点は、プロペラが高価かつ複雑なトーションコントローラ（ピッチコントローラ）を備え、増大する風荷重における翼のねじりによって、損傷又は故障の危険を低減することが可能になる。浮動構造物は、故障の危険を伴うきわめて強い風のなかであっても、風力タービンが実質的に同じ垂直位置のままであることが確実になるようにする。
【０００５】
上述のように、回転軸に設置された３つのプロペラブレードの形状の風の影響を受けるロータを有する従来技術の風力タービンの不利点は、それらが変動する風における各々のプロペラ翼のねじり角度を制御するために、トーションコントローラを備えなければならないことである。これによって建造物がさらに高価になり、結果として建造物の細部の数が増大し、風力タービンを作動中に保つように保守する受容がさらに高くなる。きわめて強い風の場合、たとえば暴風及びハリケーンでは、風力タービンは完全にシャットダウンされなければならず、プロペラは、風力タービンの軸部の損傷又は故障、たとえば翼の破損の発生を防止するためにロックされなければならない。
【０００６】
組み立て及び保守に費用がかかる望ましくない風車に対する今日の取り組みを背景として見ると、たとえば、非常に重い発電機が、地面からおよそ１００メートルの狭窄した区画内に持ち上げられた場合、又は重量数トンのプロペラ翼が損傷したか又は故障したとき、交換は人間にとって危険であり、かつ簡単又は費用効果が高い仕事ではない。翼が高周速であることは、回転速度の増大が妨げられ、かつ複雑な制御を必要とする。別の欠点は、そのような大きなプロペラ翼は、視覚的な環境破壊となり、騒音を出したり鳥を死なせたり、かつ（洋上での）ヘリコプターの使用の妨げとなる。
【０００７】
米国特許第１，８１６，９７１号から、スクリュー型タービンが周知であり、両端に開口を有する円錐形のカバー内に設置された、スクリュー型の翼を備える軸型の回転部を有し、開口において流体が一端から他端に流れて、回転部を回転させることができる。しかし、この建造物は、圧力低下が大きく電力効率が低いため、風力タービンでの使用に適していない。
【０００８】
ドイツ国特許公開番号第２９３５８０３号は、風力タービンで用いるための回転軸に設置された、風荷重を受ける螺旋形翼を記載している。翼は、回転軸に沿った円錐形である。この建造物は、米国特許第１，８１６，９７１号に記載された建造物より低い圧力低下を提供するが、結果として螺旋翼の後方部分に乱流をもたらし、風エネルギのより最適な利用が不十分である。ドイツ国特許公開番号第１９７０１０４８号に、同様の建造物が記載されている。
【発明の概要】
【０００９】
本発明の目的は、強烈な風からの力に損傷なく耐えることが可能である風力タービンを提供することである。本発明の別の目的は、コストがかさまず、ロータブレードのための複雑なねじれ手段を必要としない、プロペラベースの風力タービンを提供することである。本発明の別の目的は、洋上での輸送及び保守を簡略にする浮体式風力タービンを提供することである。
【００１０】
これらの目的は、請求項１の特徴の部分による浮体式風力タービン構造体によって達成される。
【００１１】
本発明は、１以上の浮揚装置に配置された１以上の風力タービンを含む浮体式風力タービン機構に関し、各々が中空のほぼ三角形の浮体構造物の形状で設けられて、相互距離が下向きの方向に増大する状態で海中に向かって延伸し、下部において、下部／横片によって相互接続される２つの中空の延伸構造体（脚部）で形成される。各々の脚部は、１以上のポンプによって液体、たとえば海水又は淡水で充填されたり排水したりすることができる。各々の脚部は、互いに独立して充填されたり排水したりすることができる。このように、風力タービン機構の水中での浮遊深さを調整することができ、一方の脚部を液体で充填し、他方を排水することによって、傾けられることができる。三角形の浮揚装置の下部は、横傾斜の間、一方の端から他方に流れることができる液体を包含する。流れ絞り装置は、好ましくは中空部（横片又は下部としても表される）の内部に配置されて、水流を制限する。また、下部は好ましくはやや円弧状に形成される。この設計は、特に有利な減衰効果をもたらし、このことは以下により詳細に説明されている。本風力タービン機構は、きわめて強い風の中で傾き、構造体への風荷重を全体として制御及び制限する。このことは、これまでのプロペラタイプの風力タービンについて特に有利である。
【００１２】
本発明の風力タービン構造体のタービン部自体は、これまでのプロペラタイプのタービンであってもよいが、本発明は、きわめて強い風でプロペラを減速／ロックさせるために費用を増加させるあらゆる複雑なねじり機構を必要としない。
【００１３】
代替の実施形態では、風力タービンは、回転支持された傾斜軸に配置され、たとえば発電機と電力接続された１以上の回転翼の形状で実現される。回転翼は、入口側においてくさび形の樋として形成され、出口端において円錐形のディフューザとして形成される流路内部に配置される。このことは、以下により詳細に記載される。本構造体は、回転翼内への空気を促進し、電力生成部内での流量をさらに増大させる。さらに、円錐形ディフューザは、出口端で減圧を作り出し、促進効果をさらに補強する。このタイプの建造物の別の利点は、ロータが実質的に少ない周辺部を有し、これまでのプロペラタービンよりも実質的に早い回転速度を得ることができることである。本風力タービンのさらに別の利点は、きわめて強い風の中での故障及び構成部品の取り外しの危険を低減させるか、又は取り除くことである。
【００１４】
本発明は、高所のピッチ制御又は重機がない。自然それ自体が、その風力を通してタービンにかかる荷重を制御し、害のある風力からの保護となる。この中央が開口した自己制御型タービン機構は、スクリューの周辺部に沿って位置するかなり大きな翼面積を呈し、このことは結果として、たとえばオートバイのリムのようなスポークを介して、また加えて、中間部の流れに好都合な開口を介して、駆動軸に均質かつ強力なトルクを伝達させる。好ましいパラメータ設定においては、本装置／機構は、大きな出口面積により風速を「自由風速」まで増大させるために好適であり、またくさび形の樋及びディフューザを通した圧力差によってより早い風速を作り出し、より向上された効果が樋の上端で得られるが、層流はそれでもタービン背後での最適な残速度およそ１／３Ｖを満たす。周速がかなり低速であるため、本タービンを周波数制御することなく自由に稼働させることが可能であり、電流は整流されて、ケーブルを通してより低い損失で伝達された後、消費者の現場で変換される。本機構は、１１〜１２メートル／秒を上回る風速を利用することができ、これはほとんどのプロペラタービン（当該周波数に至るまで制御されるもの）についての最大風速である。１６〜１７メートル／秒程度の増大によって、３倍以上のさらなる効果がもたらされ、ここで本機構のフローターは、風によって制御された横傾斜によって作動し、これによって非常に厳しい天候での害のある風力に対してタービンを保護する。また、より大きなスレッドピッチによって、又は軸に沿って互いに分散する１以上の平行なピッチ／ピッチエレメントによってトルクを増大させることができる。煙突効果によって、発電機室から上向きに上昇する暖かい空気は、翼のキャビティ、くさび形の樋及びスカートを通って上昇し、これによって氷の形成が防止される。環境的な側面もまた、回転がほとんど目立たず、騒音レベルが低くかつ鳥を傷つける可能性が低いことによって保障される。
【００１５】
本発明によって以下が達成される：幅広い入口開口を有するディフューザを備える、風の影響を受けるくさび形の樋は、ディフューザ内の低圧によって風速を増大させ、高速で流動する媒体は、１ピッチを上回る旋回を呈する、同心円に適合されて中央が開口したスクリュー型回転翼に案内され、これは軸に取り付けられ、上部では上側軸受と、底部では発電機／駆動エンジンとの間に懸架される。ロータ及び樋は、横傾斜制御されたフローターの上部に取り付けられ、ここで、風の影響による横傾斜によって、翼プロファイルの表面がタービンの風側端において風が入ってくる方向とほぼ平行である場合に最良の効果を提供し、及びその最大横傾斜によって、回転翼に対する影響を低減し、嵐及びハリケーンの期間中の保護を提供する。さらに、角度間隔中の横傾斜は、液体に適合された減衰開口を通したバラスト／液体の流れによって制御される。
【００１６】
橇の様な下部セクションを有する三角形の管構造体のゆらぎ特性は、風が弱くなると、ロッキングチェアのようにスタート地点に戻るようにゆらぐように配置される。ここで、さらなる制御は、一方の脚部から他方へ液体をポンプで送ることによって、けん引中又は造船所において、ゆらぎシステム外でフローターを制御することが可能であることである。
【００１７】
軸上の翼トルクは、周囲に位置する翼領域において増大し、またピッチを変えるか、又は１以上の平行翼の挿入によってさらに増大する。タービンモジュールを拡大するか又はさらに追加することによって、電力生産を増大させることができる。装置の低周速を用いて、回転速度を高めることができる。周囲に位置する翼は、同じ流れの粒子からの力を、それがタービン翼を離れる前に複数回利用する。パラメータたとえばねじれ角、円錐角、中央開口、ピッチ、翼幅及び翼プロファイルは、いずれの固定値又は軸の長さに沿った形状にも限られない。周囲に位置する翼の摩擦抵抗／エネルギ損失は、有利な軸周速によって生じ、好ましくない半径方向速度によっては生じない。緩やかな速度は鳥の害にならない。翼のキャビティ、くさび形の樋、及びスカートは、発電機室から暖かい空気を上向きに上昇させて、氷の形成を防止するように配置される。タービンのピッチ／スレッド方向（右／左）は、タービンが複数あるプラントにおける流れの対称性に依存する。タービンは、液体と気体との両方に、及び／又はパーティクルポンプとして使用可能であり、また環境に配慮して設計されている。本装置は、ヘリコプター輸送に好適であり、点検がしやすく、埠頭で組み立てることができる。気候にさらされかつ危険な組立作業や、海中での高価なクレーン大型船をもはや必要としない。
【００１８】
さらに、フローターは、プロペラタービンを制御する。発明によって以下が達成される：流れに好都合な構造の、少なくとも１つの風荷重を受けるプロペラ装置は、横傾斜制御されたフローターの上部に取り付けられ、上部付近の風の影響による横傾斜によって、プロペラに最も高い効果がもたらされ、最大横傾斜での影響が低減され、これによって、嵐及びハリケーンの期間中のプロペラの保護が提供される。さらに、横傾斜は、液体に適合された減衰開口を通したバラスト／液体の流れによって制御された角度範囲内で生じ、及び円弧形の下方管を有する三角形の揺動特性は、風が弱くなると、ロッキングチェアのようにスタート地点に戻るようにゆらぐように配置される。一方の脚部から他方へ液体をポンプで送ることによって、さらに点検がしやすい横傾斜が得られる。本装置によって、プロペラの高さが減少して傾斜が増大している状態での横傾斜の間、より少ない風荷重が得られ、これはさらに傾いて風が減衰しているヘリコプター発着場を含む。
【００１９】
ここで、本ピッチ制御（翼ねじれ）は、風の影響による横傾斜制御に置き換えることができる。タワー及びプロペラに対する気候による負荷は、非常に強い風の期間中に低減される。
【００２０】
本装置は、ヘリコプター輸送に好適であり、点検がしやすく、港湾内で組み立てることができ、気候にさらされかつ危険な組立作業や、海中での高価なクレーン大型船をもはや必要としない。
【００２１】
ヘリコプター発着場は、風減速に最適に設計されており、したがって、風荷重に対してプロペラを守ることにさらに寄与する。発着場は、悪天候、嵐及びハリケーンがある期間の間、風からの保護のために傾けられた有利な位置を実現する。
【図面の簡単な説明】
【００２２】
【図１】本発明の実施形態の、スクリュータービンを上から見た斜視図を図示する。
【図２】図１と類似した図であるが、より正面から見て、２つの回転翼を有し、わずかに異なる設計のくさび形の樋及びディフューザを有する。
【図３Ａ】通常動作中の、海中に位置する本発明の風力タービン装置を図示する。
【図３Ｂ】過酷な風荷重における本発明の風力タービン装置を図示する。
【図４】風向に向かっている４つの回転翼を有する図３Ａを図示する。
【図５】本発明の風力タービン装置のフローター装置の、部分的に分けられ側面から見た一部を示す。
【図６】保守のために港湾に繋留された本発明の風力タービン装置を示す。
【図７】本発明の風力タービン装置のけん引中を示す。
【図８Ａ】図３Ａと類似しているが、斜めから見た図である。
【図８Ｂ】図３Ｂと類似しているが、斜めから見た図である。
【図９】図８Ａ及び８Ｂに類似しているが、風力タービン部が従来のプロペラ動作型タービンである場合の図である。
【図１０】図６に類似しているが、風力タービン部が従来のプロペラ動作型タービンである場合の図である。
【図１１】図７に類似しているが、風力タービン部が従来のプロペラ動作型タービンである場合の図である。
【図１２】２つの従来のプロペラ動作型タービンと、ヘリコプターデッキとを有する本発明の風力タービン装置の代替の実施形態を示す。
【図１３Ａ】風力タービン構造体の、フローター装置の脚部のうち１つに配置された浮動型波力プラントを有する、本発明の風力タービン機構の代替の実施形態を図示する。
【図１３Ｂ】風力タービン構造体の、フローター装置の脚部のうち１つに配置された浮動型波力プラントを有する、本発明の風力タービン機構の代替の実施形態を図示する。
【図１４】風力タービン構造体の、フローター装置の脚部のうち１つに配置された浮動型波力プラントを有する、本発明の風力タービン機構の代替の実施形態を図示する。
【発明を実施するための形態】
【００２３】
本発明は、本発明の実施形態を図示した図面を用いて、以下により詳細に記載される。
【００２４】
図１は、本発明の実施形態の、回転軸３１上に配置された１つの単一の回転翼３０を有するスクリュータービンを上からの斜視で示す。回転軸は、その上端で、回転するように軸受３３に支持され、及び下端３２において、回転しかつ力を伝達するように、風力タービンの下の区画内に配置された発電機（図示せず）と接続される。これらは、当業者にはよく知られている細部であると思われ、ここではより詳細には述べない。スクリュー型ロータブレード３０は、回転軸３１上に配置される。回転軸は、上向きの方向にわずかに傾いて配置される。ロータブレード３３は、くさび形の樋状に形成された入口端２を有する、実質的に閉鎖された流路３の内部に配置される。くさび形の樋２は、入口部の先端を構成する下方縁端２’と、風力タービンの中間部に向かってより遠くに位置する上方縁端２”とを呈する。そして、入口部２は、鋤形又はショベル形の下部を有するが、タービンの中間部近くで閉鎖流路３に変化するくさび形の樋を呈する。タービンの出口部４は、流れ方向に向かって増大する流れ断面を有する円錐形であり、また、ディフューザとも示される。流路３の流れ方向における長手方向軸とロータブレード３３との傾斜角度は、水平面に対し０〜３３度にわたり、特に、風力タービン構造体が顕著な風の影響を受けず自由に海中で浮動しているときは、およそ１５〜３０度、好ましくはおよそ２５度であり、このため極度の風荷重において海面に対して実質的に水平になる。
【００２５】
図２は、図１と同様の図であるが、より正面から見た図であり、２つのロータブレード３０ａ及び３０ｂを有し、くさび形の樋及びディフューザ４の設計がわずかに異なる。図４には同様の建造物が図示されているが、全部で４つのロータ翼３０ａ、３０ｂ、３０ｃ及び３０ｄを有している。
【００２６】
ここで図３Ａ、３Ｂ、５、６、７、８Ａ及び８Ｂを参照すると、本発明の風力タービン装置が、海中に配置されて図示されている。タービン１は、１以上の風力タービンを取り付けるための上部取付装置２９を、及び任意にはヘリコプターデッキを有する三角形のフローター装置２０上に配置される。フローター装置２０は、互いに角度をもって取付装置２９から下向きに延伸し、互いの距離が下向き方向において増大する２つの管状の脚部２１及び２２を含む。下部又は横部品２３は、その端部で脚部２１及び２２の下端に接続される。横部品２３は、有利には、横部品の上方に位置する「円」の中心を有する円弧形であり、海中で自由に浮動し荷重を受けていないときに、横部品の中間部がフローター装置の下方点を構成するようにされる。曲率半径は、所望の度合の横傾耐性又は揺動頻度に依存し、当該構造体の残りの部分の寸法及び重量の組み合わせを考慮する必要がある。風力タービン構造体は、横部品２３に接続された回り継手２５に接続されたアンカー２８及びアンカーケーブル２７を含む定着装置に定着させる。このことは、従来技術から本質的に周知であり、ここではさらなる記載はしない。突っ張り２４は、好ましくは脚部２１及び２２間に固定して接続され、風及び海からの荷重に対して、本構造体をさらに補強する。
【００２７】
上記段落に記載されたような図面をさらに参照すると、横部品又は下部２３は、液体によって部分的に充填される。流れ絞り装置、たとえばプレート２６は、下部２３内の流れ断面の一部を覆う。これによって、風、波及び海流からの荷重による本構造体の揺動運動を減衰する効果をもたらし、一方の側から他方の側への過剰な横傾斜を防止する。図３Ａ及び８Ａは、通常動作中の風力タービン構造体を図示し、ここでは下部２３の一端（図中左側）の中で水が自由に遊動している。図３Ｂ及び８Ｂは強風の中で、海中に向かって横傾斜し、風荷重から風力タービンを保護している風力タービン構造体を示す。
【００２８】
図６及び７は、風力タービン構造体を示し、一方の脚部２１の内部が液体から部分的に又は完全に解放され、一方で他方の脚部２２の内部が、部分的に又は完全に水で充填されて構造体が全体的に海中に押し込まれる。図６は、タービンが陸上に本拠地を置く作業場での保守のために配置されるような状況を概略的に示し、一方、図７は、けん引のために配置された風力タービン構造体を図示する。水の配分は、たとえば風力タービンの発電機区画内に配置された１以上のポンプ（図示せず）によってなされる。一方の脚部から他方へ水をポンプで送る構成は、当業者の理解の範囲内で考慮され、ここではさらなる記載はしない。
【００２９】
図９、１０及び１１は、それ自体はプロペラタイプの伝統的な風力タービンである、風力タービンの代替の設計を図示する。これらの図は、図１２と部分的に似ているかもしれないが、後者は、プロペラタイプの風力タービンが２つ並置されて構成されている風力タービンを明示している。ヘリコプターデッキは、参照符号４０で図示される。図９の右手部分からわかるように、構造体は、きわめて強い風の中で全体的に海中へと横傾斜し、風荷重の減少を単独で提供するが、これはプロペラブレードが、強まる風によって増大する風向に対して一定の角度に向けられるようになるためである。ヘリコプターデッキは、保守のために構造体に簡単にアクセスでき。ヘリコプターデッキの別の利点は、風力タービンのプロペラの遮蔽をさらに提供し、バラバラになる危険を減少させ、又は取り除くことである。けん引及び保守は、上述の実施形態と同じように機能する。
【００３０】
図１３Ａ、１３Ｂ及び１４は、本発明の代替の実施形態を図示し、波力発電装置が、本発明の風力タービン構造体のフローター装置の脚部２２の一方に配置されている。浮動環５１は前述の脚部２２に固定して接続された軸５２を中心として、垂直平面で枢動可能に配置される。発電機５６は、風力タービン１の下面の海面付近の発電機区画の内部に、又はそこに位置し、浮動環５１、浮揚装置の第２の脚部２２、及び発電機自体に配置されたプーリ５５’、５５”、５５'''をわたって案内されたワイヤ５４を介して、浮き箱５３から伝達された波力の運動によって動作する。図１３Ｂは、風荷重が非常に強い間の風力タービン装置を示す。ここで、浮き箱が海中に自動的に引き下ろされて、波力発電装置を歪みから保護することが分かる。いくつかのより小さな浮動環を、付随の浮き箱とともにバルク水に分散させかつ下に向かって浮遊させて配し、その後、より大きな浮動環５１を配することによって、「波部」を拡張することができる。
【００３１】
上述の記載では、本発明の限定的な実施形態を例証したが、当技術分野の範囲の通常の知識を有する当業者は、図面における説明及び例示の支援によって、本発明の代替の実施形態を容易に推測することが可能であろう。実施例の説明では、下部を有する２つの脚部の形状の、ほぼ三角形の浮揚装置を説明した。しかし、浮力を増大させ、及び／又は脚部の長さを増大させるために、たとえば多数の浮揚装置を並べて配置することを想到することができる。ロータ翼の数及びその傾斜角度は、たとえば使用分野、予想される風況、ロータ翼の流路の設計に従って変化させてもよい。さらに、フローター装置は、中空の管の形状の三角形のものとして成形される必要はない。フローター装置は、たとえば円形とは異なる断面を有する中空のチャネルの形状をなすことができる。
【図１】
2016504526.tif 000003
【図２】
2016504526.tif 000004
【図３Ａ−３Ｂ】
2016504526.tif 000005
【図４】
2016504526.tif 000006
【図５】
2016504526.tif 000007
【図６】
2016504526.tif 000008
【図７】
2016504526.tif 000009
【図８Ａ−８Ｂ】
2016504526.tif 000010
【図９】
2016504526.tif 000011
【図１０】
2016504526.tif 000012
【図１１】
2016504526.tif 000013
【図１２】
2016504526.tif 000014
【図１３Ａ−１３Ｂ】
2016504526.tif 000015
【図１４】
2016504526.tif 000016
【国際調査報告】
2016504526.tif 000017
2016504526.tif 000018
2016504526.tif 000019